(57)【要約】【課題】  印字可能解像度以上の高解像度のファクシミリ画像を提供できるとともに、構成が簡素であり、自動化も容易であり、かつファクシミリ画像を高解像度で見るまでに時間及び手間がかからない、ファクシミリ受信装置を実現する。【解決手段】  検出された解像度と印字可能解像度とを比較する。当該解像度が印字可能解像度以下であれば、ファクシミリ画像を印字部７で印字する。一方、当該解像度が印字可能解像度よりも高解像度であれば、ファクシミリ画像をディスプレイ部９で表示するとともに当該解像度を印字可能解像度以下に変換して印字部７で印字する。このように、受信した高解像度のファクシミリ画像は、低解像度で記録紙８に印字するとともに、高解像度で画面に表示する。したがって、高解像度で記録紙８に印字する必要がないことにより、パソコンやプリンタ、それらに接続するための部品も不要になるので、構成が簡素になる。【選択図】  図１
2006157346.tif 000002
【特許請求の範囲】
【請求項１】
ファクシミリ画像を記録紙に印字する印字部と、
この印字部よりも高解像度でファクシミリ画像を画面に表示するディスプレイ部と、
ファクシミリ画像の解像度を前記印字部で印字可能な印字可能解像度に変換する解像度変換部と、
前記印字可能解像度よりも高解像度の受信能力を有することを、相手機に対してディジタル識別信号によって宣言する受信能力宣言部と、
前記相手機から送信されたファクシミリ画像を受信する画像データ受信部と、
前記相手機から送信されたディジタル命令信号に基づき、前記画像データ受信部で受信されるファクシミリ画像の解像度を検出する画像解像度検出部と、
この画像解像度検出部で検出された解像度と前記印字可能解像度とを比較し、当該解像度が当該印字可能解像度以下であれば、前記画像データ受信部で受信されるファクシミリ画像を前記印字部で印字させ、当該解像度が当該印字可能解像度よりも高解像度であれば、前記画像データ受信部で受信されるファクシミリ画像を前記ディスプレイ部で表示させるとともに当該解像度を前記解像度変換部を介して当該印字可能解像度以下に変換して前記印字部で印字させる表示方法選択部と、
を備えたファクシミリ受信装置。
【請求項２】
ファクシミリ画像のデータを外部メモリに書き込む外部メモリインタフェース部を更に備え、
前記表示方法選択部は、前記解像度が前記印字可能解像度よりも高解像度であれば、前記画像データ受信部で受信されるファクシミリ画像のデータを前記外部メモリインタフェース部を介して前記外部メモリに書き込む機能を更に有する、
請求項１記載のファクシミリ受信装置。
【請求項３】
前記印字部よりも高解像度でファクシミリ画像を画面に表示する外部ディスプレイ部に、ファクシミリ画像のデータを出力する外部ディスプレイインタフェース部を更に備え、
前記表示方法選択部は、前記解像度が前記印字可能解像度よりも高解像度であれば、前記画像データ受信部で受信されるファクシミリ画像を、前記外部ディスプレイインタフェース部を介して前記外部ディスプレイに表示する機能を更に有する、
請求項１記載のファクシミリ受信装置。
【請求項４】
ファクシミリ画像を記録紙に印字する印字部と、この印字部よりも高解像度でファクシミリ画像を画面に表示するディスプレイ部と、を備えたファクシミリ受信装置に用いられるファクシミリ受信方法であって、
前記印字部の印字可能解像度よりも高解像度の受信能力を有することを、相手機に対してディジタル識別信号によって宣言し、
前記相手機から送信されたディジタル命令信号に基づき、当該相手機から送信されるファクシミリ画像の解像度を検出し、
この検出された解像度と前記印字可能解像度とを比較し、当該解像度が当該印字可能解像度以下であれば、当該ファクシミリ画像を前記印字部で印字し、当該解像度が当該印字可能解像度よりも高解像度であれば、当該ファクシミリ画像を前記ディスプレイ部で表示するとともに当該解像度を当該印字可能解像度以下に変換して前記印字部で印字する、
ことを特徴とするファクシミリ受信方法。
【請求項５】
前記解像度が前記印字可能解像度よりも高解像度であれば、前記ファクシミリ画像を前記ディスプレイ部で表示するとともに当該解像度を当該印字可能解像度以下に変換して前記印字部で印字することに加え、当該ファクシミリ画像のデータを外部メモリに書き込む、
請求項４記載のファクシミリ受信方法。
【請求項６】
前記解像度が前記印字可能解像度よりも高解像度であれば、前記ファクシミリ画像を前記ディスプレイ部で表示するとともに当該解像度を当該印字可能解像度以下に変換して前記印字部で印字することに加え、当該ファクシミリ画像を外部ディスプレイに表示する、
請求項４記載のファクシミリ受信方法。
【発明の詳細な説明】
【技術分野】
【０００１】
本発明は、ファクシミリ装置やファクシミリ受信機能を有する複写機又は複合装置などのファクシミリ受信装置等に関する。
【背景技術】
【０００２】
従来のファクシミリ受信装置では、ファクシミリ受信時のＩＴＵ−Ｔ勧告Ｔ．３０に規定されるディジタル識別信号（以下「ＤＩＳ」という。）によって受信可能な解像度を宣言する際に、記録紙に印字可能な解像度を上限として宣言していた。そのため、送信されるファクシミリ画像の解像度は、受信側の印字可能解像度以上にはならない。したがって、小さい文字を含む原稿などを送信する場合に、受信時にファクシミリ画像の解像度が落ちるために文字が判読しにくくなることがあった。
【０００３】
また、特許文献１には、印字可能解像度以上の高解像度のファクシミリ画像を受信するとともに、利用者の指示に従い、ファクシミリ受信装置内の印字部を使って低解像度で記録紙に印字するか、又は、ＰＣカードに記録して若しくはネットワークを介してパソコンのプリンタを使って高解像度で記録紙に印字するか、を選択できるファクシミリ受信装置が開示されている。
【０００４】
【特許文献１】特開２０００−１８４１５６号公報（図１、図６等）
【発明の開示】
【発明が解決しようとする課題】
【０００５】
しかしながら、特許文献１のファクシミリ受信装置では、次のような問題があった。
（１）構成が複雑である。その理由は、高解像度で記録紙に印字するために、パソコン、プリンタ及びそれらにファクシミリ受信装置を接続するための部品などが必要になるからである。
（２）自動化が困難である。その理由は、受信した高解像度のファクシミリ画像を全て記録紙に印字することは、コストがかかりすぎるため、利用者の指示が不可欠となるからである。
（３）ファクシミリ画像を高解像度で見るまでに、かなりの時間及び手間がかかる。その理由は、受信したファクシミリ画像のデータをファクシミリ受信装置外のプリンタまで運ぶ時間及び手間、高解像度で印字する時間、利用者の指示等が必要となるからである。
【０００６】
そこで、本発明の目的は、印字可能解像度以上の高解像度のファクシミリ画像を提供できるとともに、構成が簡素であり、自動化も容易であり、かつファクシミリ画像を高解像度で見るまでに時間及び手間がかからない、ファクシミリ受信装置及び方法を提供することにある。
【課題を解決するための手段】
【０００７】
本発明によるファクシミリ受信装置は、印字部、ディスプレイ部、解像度変換部、受信能力宣言部、画像データ受信部、画像解像度検出部、表示方法選択部等を備えている。印字部は、ファクシミリ画像を記録紙に印字する。ディスプレイ部は、印字部よりも高解像度でファクシミリ画像を画面に表示する。解像度変換部は、ファクシミリ画像の解像度を、印字部で印字可能な印字可能解像度に変換する。受信能力宣言部は、印字可能解像度よりも高解像度の受信能力を有することを、相手機に対してＤＩＳによって宣言する。画像データ受信部は、相手機から送信されたファクシミリ画像を受信する。画像解像度検出部は、相手機から送信されたディジタル命令信号（以下「ＤＣＳ」という。）に基づき、画像データ受信部で受信されるファクシミリ画像の解像度を検出する。表示方法選択部は、画像解像度検出部で検出された解像度と印字可能解像度とを比較し、当該解像度が印字可能解像度以下であれば、画像データ受信部で受信されるファクシミリ画像を印字部で印字させ、当該解像度が印字可能解像度よりも高解像度であれば、画像データ受信部で受信されるファクシミリ画像をディスプレイ部で表示させるとともに当該解像度を解像度変換部を介して印字可能解像度以下に変換して印字部で印字させる。
【０００８】
まず、印字可能解像度よりも高解像度の受信能力を有することを相手機にＤＩＳで宣言することにより、印字可能解像度よりも高解像度のファクシミリ画像を受信できるようになる。また、相手機から送信されたＤＣＳに基づき、その相手機から送信されるファクシミリ画像の解像度を検出することができる。そして、検出された解像度と印字可能解像度とを比較する。当該解像度が印字可能解像度以下であれば、ファクシミリ画像を印字部で印字する。一方、当該解像度が印字可能解像度よりも高解像度であれば、ファクシミリ画像をディスプレイ部で表示するとともに当該解像度を印字可能解像度以下に変換して印字部で印字する。
【０００９】
このように、受信した高解像度のファクシミリ画像は、低解像度で記録紙に印字するとともに、高解像度で画面に表示する。したがって、高解像度で記録紙に印字する必要がないことにより、パソコンやプリンタ、それらに接続するための部品も不要になるので、構成が簡素になる。また、受信した高解像度のファクシミリ画像を全て画面に表示してもコストは無視できることにより、利用者の指示が不要となるので、自動化が容易である。更に、受信した高解像度のファクシミリ画像を画面に表示するのに時間も手間もかからないことから、高解像度のファクシミリ画像を直ちに見ることができる。しかも、受信したファクシミリ画像は、記録紙に印字して保存することができる。
【００１０】
また、ファクシミリ画像のデータを外部メモリに書き込む外部メモリインタフェース（以下「インタフェース」を「Ｉ／Ｆ」と略称する。）部を更に備えてもよい。このとき、表示方法選択部は、解像度が印字可能解像度よりも高解像度であれば、画像データ受信部で受信されるファクシミリ画像のデータを外部メモリインタフェース部を介して外部メモリに書き込む機能を更に有する。
【００１１】
更に、印字部よりも高解像度でファクシミリ画像を画面に表示する外部ディスプレイ部に、ファクシミリ画像のデータを出力する外部ディスプレイＩ／Ｆ部を更に備えてもよい。このとき、表示方法選択部は、解像度が印字可能解像度よりも高解像度であれば、画像データ受信部で受信されるファクシミリ画像を、外部ディスプレイＩ／Ｆ部を介して外部ディスプレイに表示する機能を更に有する。
【００１２】
本発明に係るファクシミリ受信方法は、本発明に係るファクシミリ受信装置の各動作を手順として表現したものであり、例えばコンピュータ及びそのプログラムによって実現することができる。
【００１３】
換言すると、本発明によるファクシミリ受信装置は、ＤＩＳで受信解像度能力を宣言する際に、ファクシミリ受信装置の有している記録紙への印字可能解像度よりも高解像度の受信解像度能力を有すると宣言し、印字可能解像度よりも高解像度のファクシミリ画像データが相手機から送信されると、ディスプレイでファクシミリ画像を表示するとともに、ファクシミリ画像データの解像度を印字可能な解像度に変換し、受信したファクシミリ画像を記録紙に印字する。これにより、ユーザはより高解像度のファクシミリ画像をディスプレイで見ることが可能となるとともに、受信したファクシミリ画像を記録紙に印字して保存することができる。
【発明の効果】
【００１４】
本発明によれば、印字可能解像度よりも高解像度の受信能力を有することを宣言し、受信した高解像度のファクシミリ画像を、低解像度で記録紙に印字するとともに、高解像度で画面に表示することにより、印字可能解像度以上の高解像度のファクシミリ画像を提供できるとともに、構成を簡素化でき、自動化も容易化でき、かつファクシミリ画像を高解像度で見るまでの時間及び手間を省くことができる。
【００１５】
換言すると、本発明によれば、印字可能解像度よりも高解像度のファクシミリ画像を受信し、これをディスプレイで表示することにより、ファクシミリ画像通信での画像情報量の減少を防止できる。例えば、小さな文字等を含む原稿を送信しても、画像情報量が減少しないので判読し易い。また、受信した高解像度のファクシミリ画像の解像度を変換して記録紙に印字することにより、ファクシミリ画像を保存することができる。
【発明を実施するための最良の形態】
【００１６】
図１は、本発明に係るファクシミリ受信装置の第一実施形態を示すブロック図である。以下、この図面に基づき説明する。
【００１７】
最初に、本実施形態のファクシミリ受信装置１ａについて、構成の概要を説明する。ファクシミリ受信装置１ａは、印字部７、ディスプレイ部９、解像度変換部１０、受信能力宣言部３、画像データ受信部５、画像解像度検出部４、表示方法選択部６等を備えている。印字部７は、ファクシミリ画像を記録紙８に印字する。ディスプレイ部９は、印字部７よりも高解像度でファクシミリ画像を画面に表示する。解像度変換部１０は、ファクシミリ画像の解像度を、印字部７で印字可能な印字可能解像度に変換する。受信能力宣言部３は、印字可能解像度よりも高解像度の受信能力を有することを、相手機に対してＤＩＳによって宣言する。画像データ受信部５は、相手機から送信されたファクシミリ画像を受信する。画像解像度検出部４は、相手機から送信されたＤＣＳに基づき、画像データ受信部５で受信されるファクシミリ画像の解像度を検出する。表示方法選択部６は、画像解像度検出部４で検出された解像度と印字可能解像度とを比較し、当該解像度が印字可能解像度以下であれば、画像データ受信部５で受信されるファクシミリ画像を印字部７で印字させ、当該解像度が印字可能解像度よりも高解像度であれば、画像データ受信部５で受信されるファクシミリ画像をディスプレイ部９で表示させるとともに当該解像度を解像度変換部１０を介して印字可能解像度以下に変換して印字部７で印字させる。
【００１８】
次に、ファクシミリ受信装置１ａの作用の概要を説明する。まず、印字可能解像度よりも高解像度の受信能力を有することを相手機にＤＩＳで宣言することにより、印字可能解像度よりも高解像度のファクシミリ画像を受信できるようになる。また、相手機から送信されたＤＣＳに基づき、その相手機から送信されるファクシミリ画像の解像度を検出することができる。そして、検出された解像度と印字可能解像度とを比較する。当該解像度が印字可能解像度以下であれば、ファクシミリ画像を印字部７で印字する。一方、当該解像度が印字可能解像度よりも高解像度であれば、ファクシミリ画像をディスプレイ部９で表示するとともに当該解像度を印字可能解像度以下に変換して印字部７で印字する。
【００１９】
このように、受信した高解像度のファクシミリ画像は、低解像度で記録紙８に印字するとともに、高解像度で画面に表示する。したがって、高解像度で記録紙８に印字する必要がないことにより、パソコンやプリンタ、それらに接続するための部品も不要になるので、構成が簡素になる。また、受信した高解像度のファクシミリ画像を全て画面に表示してもコストは無視できることにより、利用者の指示が不要となるので、自動化が容易である。更に、受信した高解像度のファクシミリ画像を画面に表示するのに時間も手間もかからないことから、高解像度のファクシミリ画像を直ちに見ることができる。しかも、受信したファクシミリ画像は、記録紙８に印字して保存することができる。
【００２０】
次に、ファクシミリ受信装置１ａについて、更に詳しく説明する。印字部７は、受信したファクシミリ画像を記録紙８に印字する。受信能力宣言部３は、通信回線２からファクシミリ着信があったときに、印字可能解像度よりも高解像度の受信能力を有することを、相手機に対しＤＩＳで宣言する。画像解像度検出部４は、相手機から送られてくるＤＣＳからファクシミリ画像の解像度を検出する。画像データ受信部５は、ファクシミリ画像データを受信する。表示方法選択部６は、画像解像度検出部４で検出された解像度が印字可能解像度以下であれば、ファクシミリ画像データを印字部７へ転送し、画像解像度検出部４で検出された解像度が印字可能解像度を越える高解像度であれば、解像度変換部１０へファクシミリ画像データを転送する。ディスプレイ部９は、ファクシミリ画像データを入力すると、そのファクシミリ画像を表示する。解像度変換部１０は、表示選択部６から印字可能解像度を超える高解像度のファクシミリ画像データが転送されると、ディスプレイ部９にファクシミリ画像データを転送するとともに、そのファクシミリ画像データを印字部７で印字可能な解像度に変換する。
【００２１】
図２は、ファクシミリ受信装置１ａの動作を示すフローチャートである。図３は、解像度を説明するための図表である。以下、ファクシミリ受信装置１ａの動作について、図１乃至図３に基づき説明する。
【００２２】
本実施形態では、通信回線２からのファクシミリ着信時に、印字部７が有する記録紙８への印字可能解像度よりも高解像度の受信能力を有することを、受信能力宣言部３がＤＩＳによって宣言する（ステップＳ１）。その後、相手機から送られてくるＤＣＳに基づき、印字可能解像度よりも高解像度のファクシミリ画像が送られてくるのか、低解像度ファクシミリ画像が送られてくるのかを、画像解像度検出部４が検出する（ステップＳ２）。続いて、画像データ受信部５はファクシミリ画像データを受信する（ステップＳ３，Ｓ５）。続いて、表示方法判定部６は、画像解像度検出部４で検出された解像度が印字可能解像度以下であれば、ファクシミリ画像データを印字部７に転送する。すると、印字部７は入力したファクシミリ画像データを記録紙８に印字する（ステップ６）。一方、表示方法判定部６は、画像解像度検出部４で検出された解像度が印字可能解像度を越える高解像度であれば、ファクシミリ画像データを解像度変換部１０に転送する。すると、解像度変換部１０は、ファクシミリ画像データをディスプレイ部９へ転送するとともに、印字可能解像度にファクシミリ画像データを変換して印字部７へ転送する（ステップ７）。これにより、印字部７はファクシミリ画像データを記録紙８に印字し（ステップ８）、ディスプレイ部９は入力したファクシミリ画像データを表示する（ステップ４）。
【００２３】
以上の動作によって、記録紙８へ印字可能なファクシミリ画像の解像度よりも高解像度のファクシミリ画像を受信して表示することが可能となり、更に記録紙８への印字によってファクシミリ画像の保存が可能となる。
【００２４】
次に、ＤＩＳでの宣言内容を図３に基づいて説明する。最近の安価な家庭用ファクシミリ受信装置が有する印字可能な解像度は、主に図３に示す解像度１から３までである。図３の例では、印字部７の印字可能解像度が解像度１から３までしかない場合でも、ＤＩＳによって解像度１から４までを有すると宣言することにより、前述の動作が可能となる。
【００２５】
図４は、本発明に係るファクシミリ受信装置の第二実施形態を示すブロック図である。以下、この図面に基づき説明する。ただし、図１と同じ部分は同じ符号を付すことにより説明を省略する。
【００２６】
本実施形態のファクシミリ受信装置１ｂは、外部メモリＩ／Ｆ部１１を有する点で第一実施形態と異なる。ファクシミリ画像データの解像度が印字部７で印字できない高解像度の場合、表示方法選択部６は、外部メモリＩ／Ｆ部１１を経由し、外部メモリカード１２に画像データを蓄積する。ユーザは、パーソナルコンピュータ等の外部装置を用いて、メモリカード１２内のファクシミリ画像データを読み出して表示することが可能となる。
【００２７】
本実施形態によれば、印字部７で印字できない高解像度のファクシミリ画像を外部メモリカード１２に書き出すことにより、外部装置を用いて高解像度なファクシミリ画像を目視することができる。
【００２８】
図５は、本発明に係るファクシミリ受信装置の第三実施形態を示すブロック図である。以下、この図面に基づき説明する。ただし、図１と同じ部分は同じ符号を付すことにより説明を省略する。
【００２９】
本実施形態のファクシミリ受信装置１ｃは、外部ディスプレイＩ／Ｆ部１３を有する点で第一実施形態と異なる。ファクシミリ画像データの解像度が印字部７で印字できない高解像度の場合、表示方法選択部６は、外部ディスプレイＩ／Ｆ部１３を経由し、外部に接続した外部ディスプレイ１４にファクシミリ画像データを表示することが可能となる。
【００３０】
本実施形態によれば、印字部７で印字できない高解像度なファクシミリ画像を外部ディスプレイＩ／Ｆ部１３を経由して外部ディスプレイ１４に表示することにより、高解像度なファクシミリ画像を目視することができる。
【図面の簡単な説明】
【００３１】
【図１】本発明に係るファクシミリ受信装置の第一実施形態を示すブロック図である。
【図２】図１のファクシミリ受信装置の動作を示すフローチャートである。
【図３】解像度を説明するための図表である。
【図４】本発明に係るファクシミリ受信装置の第二実施形態を示すブロック図である。
【図５】本発明に係るファクシミリ受信装置の第三実施形態を示すブロック図である。
【符号の説明】
【００３２】
１ａ，１ｂ，１ｃ  ファクシミリ受信装置
２  通信回線
３  受信能力宣言部
４  画像解像度検出部
５  画像データ受信部
６  表示方法選択部
７  印字部
８  記録紙
９  ディスプレイ部
１０  解像度変換部
１１  外部メモリＩ／Ｆ部
１２  外部メモリカード
１３  外部ディスプレイＩ／Ｆ部
１４  外部ディスプレイ部
【図１】
2006157346.tif 000003
【図２】
2006157346.tif 000004
【図３】
2006157346.tif 000005
【図４】
2006157346.tif 000006
【図５】
2006157346.tif 000007